(57)【要約】      （修正有）【課題】設置制限を受けにくい左右両開き可能なＡＥＤ収納ボックスを提供する。【解決手段】ＡＥＤ収納ボックスは、正面部１０１、右側面部１０２、左側面部１０３、背面部１０４、天面部１０５、底面部１０６、扉部１０７、警報部１０８、ステッカー部１０９、スタンド部１１０、から構成される。上下フレームと均等な隙間があり、上下問わず掴める取っ手を持つ扉や、上下問わず内蔵するＡＥＤ干渉のない警報部により、ＡＥＤ収納ボックスの向きを天地反転させて、扉の右開き、左開きを設置者が自由に選択可能にした。【選択図】図１
0003218134.tif 000002
【実用新案登録請求の範囲】
【請求項１】
ＡＥＤ収納ボックスの扉の向きを天地反転させる事で、扉の右開き、左開きを設置者が自由に選択し、両開きを選択可能にしたＡＥＤ収納ボックスである
【請求項２】
請求項１に記載のＡＥＤ収納ボックスであって、扉を開けると警報音を発するＡＥＤ収納ボックスである。
【請求項３】
請求項１に記載のＡＥＤ収納ボックスであって、天地を反転し扉の向きを変えても、設置時の安定感、バランス感のあるＡＥＤ収納ボックスである。
【請求項４】
請求項１に記載のＡＥＤ収納ボックスであって、告知するステッカー類は設置者が設置方向を自由に決めてから容易に貼ることが出来るＡＥＤ収納ボックスである。
【請求項５】
請求項１に記載のＡＥＤ収納ボックスであって、下部（１０６）にスタンド部（１１０）を取り付ける事で自立式ＡＥＤ収納ボックスとなる、ＡＥＤ収納ボックスである。
【考案の詳細な説明】
【技術分野】
【０００１】
ＡＥＤ本体が単体で保管されている場合、周囲への設置告知が十分になされてお
らず、いざと言う時に設置場所が分からず使用できない場合がある。
日頃から目にする場所にＡＥＤ収納ボックスを設置することで、迅速な処置が可能となり、効果的な救命救急活動が期待できる。  
また屋内設置の場合、ＡＥＤ収納ボックスの設置を希望する場所で、緊急時の非難導線や既設の他機材との干渉を防ぐ、扉の開閉を左右選択可能なＡＥＤ収納ボックスは強く要望されている。
【背景技術】
【０００２】
ＡＥＤ収納ボックスを設置する場合、天地を反転させる事で扉を左開き、右開きさせる対称設計技術が必要となる。設置されたＡＥＤ収納ボックスの左開き、右開きいずれの状態でも、同じくＡＥＤ設置場所として認知されるデザインとなっている。
【０００３】
ＡＥＤ収納ボックスの扉を開けた時には警報音を発する仕様になっているが、扉の左開き、右開きでも安定した動作が必要となる。
【０００４】
ＡＥＤ収納ボックスの告知用ステッカー類は、設置方向を決定した後、自由に貼れる仕組となる。
【０００５】
ＡＥＤ収納ボックスはスタンドを増設できる仕組になっていて、壁掛け式だけでなく自立式ＡＥＤ収納ボックスとしての機能を有する。
【考案の概要】
【考案が解決しようとする課題】
【０００６】
ＡＥＤ本体が単体で保管されている場合、周囲への設置告知が十分になされておらず、いざと言う時に設置場所が分からず使用できない場合がある。
日頃から目にする場所にＡＥＤ収納ボックスを設置することで、迅速な処置が可能となり、効果的な救命救急活動が期待できる。
また屋内設置の場合、ＡＥＤ収納ボックスの設置を希望する場所で、緊急時の非難導線や既設の他機材との干渉を防ぐ、扉の開閉を左右選択可能なＡＥＤ収納ボックスは強く要望されている。
【０００７】
全国でAEDの普及率が高まり、ほとんどの公共施設や交通機関、商業施設には1台のAEDが設置されてきている。
今後は法人や自治会などの一般施設での普及が進むだけでなく、公共施設などで2台目以降のAED設置が進むことが予測され、今までよりも狭いスペースに設置を検討する事が予測される。
【課題を解決するための手段】
【０００８】
ＡＥＤ本体は、心肺停止状態になった患者を救う救命救急装置として市民が使用することが可能になったが、設置場所の収納方法によっては緊急時の認識や取り出しが困難になる等の課題を抱えている。その解決策として、左右両開き選択可能な機能を施した事を特徴とする方法である。
ＡＥＤ収納ボックスは、正面部（１０１）右側面部（１０２）左側面部（１０３）
背面部（１０４）天面部（１０５）底面部（１０６）扉部（１０７）警報部（１０８）ステッカー部（１０９）スタンド部（１１０）から構成されたＡＥＤ収納ボックスである。
【０００９】
請求項２を解決する方法であって、天面部（１０５）底面部（１０６）及び右側頭部（１０２）左側面部（１０３）は対称に作られており、設置されたＡＥＤ収納ボックスの左開き、右開きいずれの状態でも、同じくＡＥＤ設置場所として認知されるデザインとなっている。
【００１０】
請求項３を解決する方法であって、正面部（１０１）の扉部（１０７）を開けると警報部（１０８）のリミットスイッチが入り警報音を発するＡＥＤ収納ボックスである。
【００１１】
請求項４を解決する方法であって、設置者は扉の開閉向きを自由に選択できる。その向きに合わせて告知用ステッカーをステッカー部（１０９）に自由に貼る事が出来るＡＥＤ収納ボックスである。
【００１２】
請求項５を解決する方法であって、下部（１０６）にスタンド部（１１０）を取り付ける事で、自立式ＡＥＤ収納ボックスとなるＡＥＤ収納ボックスである。
【考案の効果】
【００１３】
ＡＥＤ本体を単体で設置することは、ＡＥＤの設置告知から考えて効率が悪いために、ＡＥＤ収納ボックスに収納することが一般的である。
屋内設置の場合、ＡＥＤ収納ボックスの設置を希望する場所で、緊急時の非難導線や既設の他機材との干渉を防ぐ、扉の開閉を左右選択可能なＡＥＤ収納ボックスは結果として社会的要求の強い設置方法となり、急速に普及する効果が得られる。
【図面の簡単な説明】
【００１４】
【図１】図１は  正面部      （１０１）  側面右側部  （１０２）  側面左側部  （１０３）  後面部      （１０４）  上部        （１０５）  下部        （１０６）  扉部        （１０７）  警報部      （１０８）ステッカー部  （１０９）スタンド部    （１１０）
【符号の説明】
【００１５】
正面部      （１０１）    ＡＥＤ収納ボックスの正面で、扉部（１０７）にはＡＥＤ本体点検用アクリル窓が開いている。
側面右側部  （１０２）    ＡＥＤ収納ボックスの右側部で、告知エリアでもある
側面左側部  （１０３）    ＡＥＤ収納ボックスの左側部で、告知エリアでもある。
後面部      （１０４）    ＡＥＤ収納ボックス後面で取り付け穴は上下対象であり扉の右開き右開きにも対応できる。
上部        （１０５）    ＡＥＤ収納ボックスの上部で、天地を反転して取り付けたときには下部（１０６）となり共通の上下対称の孔開けになっている。
下部        （１０６）    ＡＥＤ収納ボックスの下部で、天地を反転して取り付けたときには上部（１０５）となり共通の上下対称の孔開けになっている。
扉部        （１０７）    ＡＥＤ収納ボックスの扉部で、収納されたＡＥＤ本体の取り出し口、閉じていても、アクリル窓からＡＥＤ本体の点検が外からも出来る。
警報部      （１０８）    ＡＥＤ収納ボックスの警報部で、扉を開くと警報音を発する。ボックスが天地が反転しても機能は保持できる。
ステッカー部（１０９）    ＡＥＤ収納ボックスのステッカー部で設置者が設置方法を選択した後自由に貼ることが出来る。
スタンド部  （１１０）    ＡＥＤ収納ボックスのスタンド部で、下部（１０６）に取り付ける事で自立式ＡＥＤ収納ボックスとなる。
【考案を実施するための形態】
【００１６】
ＡＥＤ収納ボックスは上部（１０５）下部（１０６）及び側面右側（１０２）側面左側（１０３）は対称に作られており、また後面部（１０４）での取り付け方法も対称に構成されている。
【００１７】
ＡＥＤ収納ボックスの設置方法としては、設置者が設置場所の状態から効果的に扉の開閉方向を自由に選択することが出来る。
【００１８】
ＡＥＤ収納ボックスの警報部（１０８）は設置場所での天地が反転し、扉の向きが右開き、左開きになっても正常に機能することが出来る。
【００１９】
ＡＥＤ収納ボックスの告知用ステッカー部（１０９）は、設置者が設置場所の状態から効果的に扉の向きを自由に選択した後自由に貼ることが出来る。
【００２０】
ＡＥＤ収納ボックスの下部（１０６）にスタンド部（１１０）を取り付ける事で、自立式ＡＥＤ収納ボックスとなり、壁等に設置出来ない、あるいは目立つ様に設置したい要求があれば可能である。
【００２１】
自立式ＡＥＤ収納ボックス及びＡＥＤ収納ボックスは日頃から目立つ場所に設置され、目立つ事で常に存在を認識しており、脳裏に記憶され、いざと言うときに迅速な処置は可能となる。
【実施例１】
【００２２】
公共施設等には急速な勢いでＡＥＤの設置が進められており、現在では５０万台  以上が設置されている。
救急救命において、患者が倒れてから数分の間に心肺蘇生を行なうことが大事であり、AEDを設置する間隔は数百mおきが理想とされ、公共施設や公共機関などでは1台での運用は困難と予想される。
【００２３】
公共施設や交通機関への設置が進み、今後は法人や自治会などの一般施設での普及が進むだけでなく、公共施設などで2台目以降のAED設置が進むことが予測される。
容易な設置方法ができ、なおかつ効果的な運用が期待出来るため、急速に普及する可能性がある
【００２４】
突然の心肺停止には、その場に居合わせた人によるいち早い救命救急活動が重要になり、日頃から目立つ場所にＡＥＤ収納ボックスを設置すること、また緊急時の非難導線や既設の他機材との干渉を防ぐ設置場所を確保することで、迅速な処置が可能となる。
【図１】
0003218134.tif 000003
【手続補正書】
【提出日】平成30年2月7日(2018.2.7)
【手続補正１】
【補正対象書類名】実用新案登録請求の範囲
【補正対象項目名】全文
【補正方法】変更
【補正の内容】
【実用新案登録請求の範囲】
【請求項１】
上下フレームと均等な隙間があり、上下問わず掴める取っ手を持つ扉や、上下問わず内蔵するＡＥＤ干渉のない警報部により、ＡＥＤ収納ボックスの向きを天地反転させる事で、扉の右開き、左開きを設置者が自由に選択し、両開きを選択可能にしたＡＥＤ収納ボックス。
【請求項２】
請求項１に記載のＡＥＤ収納ボックスであって、扉を開けると警報音を発するＡＥＤ収納ボックス。
【請求項３】
請求項１に記載のＡＥＤ収納ボックスであって、天面および底面が同一形状であり、上下問わず同一箇所にステッカーを貼れるスペースの確保により、天地を反転し扉の向きを変えても、設置時の安定感、バランス感のあるＡＥＤ収納ボックス。
【請求項４】
請求項１に記載のＡＥＤ収納ボックスであって、告知するステッカー類は設置者が設置方向を自由に決めてから容易に貼ることが出来るＡＥＤ収納ボックス。
【請求項５】
請求項１に記載のＡＥＤ収納ボックスであって、下部（１０６）にスタンド部（１１０）を取り付ける事で自立式ＡＥＤ収納ボックスとなる、ＡＥＤ収納ボックス。